(57)【要約】      （修正有）【課題】電気通信回線を介してサーバ装置に接続可能としたクライアント装置を、認証処理を行ってサーバ装置に接続させるネットワークの接続方法及びネットワークの接続装置であって、セキュアでありながら極めて容易に利用可能とした接続方法及び接続装置を提供する。【解決手段】クライアント装置に設けた接続端子に着脱自在とした外部接続型記憶手段であって、クライアント装置が接続するサーバ装置の識別情報と、サーバ装置への接続処理に用いるプログラムと、サーバ装置の接続認証に用いる認証情報とを記憶した外部接続型記憶手段からなるネットワーク接続装置を前記クライアント装置に装着することにより、クライアント装置の記憶手段にプログラムの一部または全部をコピーして、コピーしたプログラムに基づいて、クライアント装置を識別情報で指定されたサーバ装置に接続する。【選択図】図２
2006120092.tif 000002
【特許請求の範囲】
【請求項１】
電気通信回線を介してサーバ装置に接続可能としたクライアント装置を、認証処理を行って前記サーバ装置に接続させるネットワークの接続方法において、
前記クライアント装置に設けた接続端子に着脱自在とした外部接続型記憶手段であって、前記クライアント装置が接続する前記サーバ装置の識別情報と、前記サーバ装置への接続処理に用いるプログラムと、前記サーバ装置の接続認証に用いる認証情報とを記憶した外部接続型記憶手段を前記クライアント装置に装着することにより、
前記クライアント装置の記憶手段に前記プログラムの一部または全部をコピーして、コピーした前記プログラムに基づいて、前記クライアント装置を前記識別情報で指定された前記サーバ装置に接続することを特徴とするネットワーク接続方法。
【請求項２】
前記サーバ装置への接続を終了させた場合に、前記クライアント装置の記憶手段に記憶したプログラムを全て自動的に削除することを特徴とする請求項１記載のネットワーク接続方法。
【請求項３】
前記クライアント装置の記憶手段に記憶したプログラムに基づいて前記クライアント装置を前記サーバ装置に接続する場合に、前記クライアント装置を認証用サーバ装置に接続させて接続情報の取得を行い、この取得情報に基づいて所要のサーバ装置に接続させることを特徴とする請求項１または請求項２に記載のネットワーク接続方法。
【請求項４】
前記認証用サーバ装置から取得する前記接続情報は複数とし、これらの接続情報の中から前記クライアント装置でいずれか一つの接続情報を選択可能としていることを特徴とする請求項３記載のネットワーク接続方法。
【請求項５】
前記の選択した接続情報を前記外部接続型記憶手段で記憶することを特徴とする請求項４記載のネットワーク接続方法。
【請求項６】
前記外部接続型記憶手段に記憶した前記プログラムは暗号化されたプログラムであって、前記外部接続型記憶手段には、前記暗号化されたプログラムの一部または全部を前記クライアント装置の記憶手段にコピーする場合に、前記暗号化されたプログラムを復号化する復号化情報を記憶していることを特徴とする請求項１〜５のいずれか１項に記載のネットワーク接続方法。
【請求項７】
電気通信回線を介してサーバ装置に接続可能としたクライアント装置に設けた接続端子に着脱自在とした外部接続型記憶手段からなるネットワーク接続装置であって、
前記クライアント装置が接続する前記サーバ装置の識別情報と、前記サーバ装置への接続処理に用いるプログラムと、前記サーバ装置の接続認証に用いる認証情報とを記憶して、
前記クライアント装置に装着した際に、前記プログラムの一部または全部を前記クライアント装置の記憶手段にコピーして、コピーした前記プログラムに基づいて、前記クライアント装置を前記識別情報で指定された前記サーバ装置に接続させるように構成したネットワーク接続装置。
【請求項８】
前記サーバ装置への接続を終了させた場合に、前記クライアント装置の記憶手段に記憶したプログラムを全て自動的に削除するように構成したことを特徴とする請求項７記載のネットワーク接続装置。
【請求項９】
前記クライアント装置の記憶手段に記憶したプログラムに基づいて前記クライアント装置を前記サーバ装置に接続する場合に、前記クライアント装置を認証用サーバ装置に接続させて取得した接続情報を記憶して、この取得情報に基づいて所要のサーバ装置に接続させることを特徴とする請求項７または請求項８に記載のネットワーク接続装置。
【請求項１０】
特定のプログラム以外のプログラムからは利用不可能とした秘匿領域と、情報の書込みを禁止して読出し専用とした不可変領域と、情報を自在に書込み可能とした可変領域とを設け、前記不可変領域に前記クライアント装置の記憶手段にコピーするプログラムを暗号化して格納し、前記秘匿領域には前記プログラムを復号化する復号化情報を記憶していることを特徴とする請求項７〜９のいずれか１項に記載のネットワーク接続装置。
【発明の詳細な説明】
【技術分野】
【０００１】
本発明は、ネットワーク接続方法及びネットワーク接続装置に関するものであり、特にワンタイムＩＤ及びワンタイムパスワードなどを利用してセキュアとしたネットワーク上のサーバ装置への接続を容易に行うことができるネットワーク接続方法及びネットワーク接続装置に関するものである。
【背景技術】
【０００２】
昨今、ネットワーク技術の進歩にともなって、所要のデータをサーバ装置で管理するとともに、そのサーバ装置内のデータを利用したい利用者はクライアント装置を用いてサーバ装置にアクセスし、情報の利用あるいは新たな情報の登録を行っている。これらのクライアント装置とサーバ装置とは電気通信回線を介して接続しており、電気通信回線としては、有線ＬＡＮ（Local Area Network）回線や無線ＬＡＮ回線だけでなく、インターネット回線が用いられる場合もある。
【０００３】
特にインターネット回線を介してサーバ装置に接続可能としている場合には、いわゆるハッカーなどのような不正利用者が認証のＩＤやパスワードを不正取得して侵入するといったおそれがあることから、昨今では、サーバ装置への接続の都度、ＩＤ及びパスワードを逐次変更するワンタイムＩＤ及びワンタイムパスワードなど認証アプリケーションを利用することによって、不正利用者の侵入を抑止することが行われている（例えば、特許文献１参照。）。
【特許文献１】特開２００４−１３３８０４号公報
【発明の開示】
【発明が解決しようとする課題】
【０００４】
しかしながら、より高い安全性が要求されるにつれて認証アプリケーションに機能拡大にともなう肥大化が生じてきており、このような認証アプリケーションを導入したクライアント装置において、クライアント装置のオペレーションシステムや他のアプリケーションプログラムとの間で動作不具合を生じさせる可能性が高まっているという問題があった。
【０００５】
さらに、認証アプリケーションのクライアント装置への導入作業自体も煩雑化してきており、利用者に不満を抱かせるおそれがあった。
【課題を解決するための手段】
【０００６】
そこで、本発明のネットワーク接続方法では、電気通信回線を介してサーバ装置に接続可能としたクライアント装置を、認証処理を行ってサーバ装置に接続させるネットワークの接続方法において、クライアント装置に設けた接続端子に着脱自在とした外部接続型記憶手段であって、クライアント装置が接続するサーバ装置の識別情報と、サーバ装置への接続処理に用いるプログラムと、サーバ装置の接続認証に用いる認証情報とを記憶した外部接続型記憶手段をクライアント装置に装着することにより、クライアント装置の記憶手段にプログラムの一部または全部をコピーして、コピーしたプログラムに基づいて、クライアント装置を識別情報で指定されたサーバ装置に接続することとした。
【０００７】
さらに、以下の点にも特徴を有するものである。すなわち、
（１）サーバ装置への接続を終了させた場合に、クライアント装置の記憶手段に記憶したプログラムを全て自動的に削除すること。
（２）クライアント装置の記憶手段に記憶したプログラムに基づいてクライアント装置をサーバ装置に接続する場合に、クライアント装置を認証用サーバ装置に接続させて接続情報の取得を行い、この取得情報に基づいて所要のサーバ装置に接続させること。
（３）認証用サーバ装置から取得する接続情報は複数とし、これらの接続情報の中からクライアント装置でいずれか一つの接続情報を選択可能としていること。
（４）選択した接続情報を外部接続型記憶手段で記憶すること。
（５）外部接続型記憶手段に記憶したプログラムは暗号化されたプログラムであって、外部接続型記憶手段には、暗号化されたプログラムの一部または全部をクライアント装置の記憶手段にコピーする場合に、暗号化されたプログラムを復号化する復号化情報を記憶していること。
【０００８】
また、本発明のネットワーク接続装置では、電気通信回線を介してサーバ装置に接続可能としたクライアント装置に設けた接続端子に着脱自在とした外部接続型記憶手段からなるネットワーク接続装置であって、クライアント装置が接続するサーバ装置の識別情報と、サーバ装置への接続処理に用いるプログラムと、サーバ装置の接続認証に用いる認証情報とを記憶して、クライアント装置に装着した際に、プログラムの一部または全部をクライアント装置の記憶手段にコピーして、コピーしたプログラムに基づいて、クライアント装置を識別情報で指定されたサーバ装置に接続させるように構成した。
【０００９】
さらに、以下の点にも特徴を有するものである。すなわち、
（１）サーバ装置への接続を終了させた場合に、クライアント装置の記憶手段に記憶したプログラムを全て自動的に削除するように構成したこと。
（２）クライアント装置の記憶手段に記憶したプログラムに基づいてクライアント装置をサーバ装置に接続する場合に、クライアント装置を認証用サーバ装置に接続させて取得した接続情報を記憶して、この取得情報に基づいて所要のサーバ装置に接続させること。
（３）特定のプログラム以外のプログラムからは利用不可能とした秘匿領域と、情報の書込みを禁止して読出し専用とした不可変領域と、情報を自在に書込み可能とした可変領域とを設け、不可変領域にクライアント装置の記憶手段にコピーするプログラムを暗号化して格納し、秘匿領域にはプログラムを復号化する復号化情報を記憶していること。
【発明の効果】
【００１０】
請求項１記載の発明によれば、クライアント装置に設けた接続端子に着脱自在とした外部接続型記憶手段であって、クライアント装置が接続するサーバ装置の識別情報と、サーバ装置への接続処理に用いるプログラムと、サーバ装置の接続認証に用いる認証情報とを記憶した外部接続型記憶手段をクライアント装置に装着することにより、クライアント装置の記憶手段にプログラムの一部または全部をコピーして、コピーしたプログラムに基づいて、クライアント装置を識別情報で指定されたサーバ装置に接続することとしたによって、外部接続型記憶手段をクライアント装置に装着するだけで所望のサーバ装置に接続可能とすることができる。しかも、サーバ装置への接続に必要となる最小限のプログラムだけをクライアント装置にコピーするだけとすることができ、クライアント装置のオペレーションシステムや他のアプリケーションプログラムとの間で動作不具合を生じさせるおそれを低減できる。
【００１１】
請求項２記載の発明によれば、請求項１記載のネットワーク接続方法において、サーバ装置への接続を終了させた場合に、外部接続型記憶手段からクライアント装置の記憶手段に記憶させたプログラムを全て自動的に削除することによって、クライアント装置のオペレーションシステムや他のアプリケーションプログラムとの間で動作不具合を生じさせるおそれを解消できる。
【００１２】
請求項３記載の発明によれば、請求項１または請求項２に記載のネットワーク接続方法において、クライアント装置の記憶手段に記憶したプログラムに基づいてクライアント装置をサーバ装置に接続する場合に、クライアント装置を認証用サーバ装置に接続させて接続情報の取得を行い、この取得情報に基づいて所要のサーバ装置に接続させることによって、サーバ装置の管理者によってクライアント装置を使用している利用者の接続制限の制御あるいは管理を行いやすくすることができる。
【００１３】
請求項４記載の発明によれば、請求項１〜３のいずれか１項に記載のネットワーク接続方法において、認証用サーバ装置から取得する接続情報は複数とし、これらの接続情報の中からクライアント装置でいずれか一つの接続情報を選択可能としていることによって、多機能としたサーバ装置において所望の機能が利用できる状態に速やかに達することができる。
【００１４】
請求項５記載の発明によれば、選択した接続情報を外部接続型記憶手段で記憶することによって、接続情報を外部接続型記憶手段に記憶した後には、サーバ装置への接続時に速やかに所望の機能の使用を可能な状態とすることができ、利便性を極めて向上させることができる。
【００１５】
請求項６記載の発明によれば、請求項１〜５のいずれか１項に記載のネットワーク接続方法において、外部接続型記憶手段に記憶したプログラムは暗号化されたプログラムであって、外部接続型記憶手段には、暗号化されたプログラムの一部または全部をクライアント装置の記憶手段にコピーする場合に、暗号化されたプログラムを復号化する復号化情報を記憶していることによって、不正利用者などの第三者が外部接続型記憶手段に記憶された情報を解析することを防止して、安全性を確保することができる。
【００１６】
請求項７記載の発明によれば、電気通信回線を介してサーバ装置に接続可能としたクライアント装置に設けた接続端子に着脱自在とした外部接続型記憶手段からなるネットワーク接続装置であって、クライアント装置が接続するサーバ装置の識別情報と、サーバ装置への接続処理に用いるプログラムと、サーバ装置の接続認証に用いる認証情報とを記憶して、クライアント装置に装着した際に、プログラムの一部または全部をクライアント装置の記憶手段にコピーして、コピーしたプログラムに基づいて、クライアント装置を識別情報で指定されたサーバ装置に接続させるように構成したことによって、クライアント装置に装着するだけで所望のサーバ装置に接続可能としたネットワーク接続装置を提供できる。しかも、サーバ装置への接続に必要となる最小限のプログラムだけをクライアント装置にコピーするだけとすることができ、クライアント装置のオペレーションシステムや他のアプリケーションプログラムとの間で動作不具合を生じさせるおそれを低減できる。
【００１７】
請求項８記載の発明によれば、請求項７記載のネットワーク接続装置において、サーバ装置への接続を終了させた場合に、クライアント装置の記憶手段に記憶したプログラムを全て自動的に削除するように構成したことによって、ネットワーク接続装置を装着したクライアント装置のオペレーションシステムや他のアプリケーションプログラムとの間で動作不具合を生じさせるおそれを解消できる。
【００１８】
請求項９記載の発明によれば、請求項７または請求項８に記載のネットワーク接続装置において、クライアント装置の記憶手段に記憶したプログラムに基づいてクライアント装置をサーバ装置に接続する場合に、クライアント装置を認証用サーバ装置に接続させて取得した接続情報を記憶して、この取得情報に基づいて所要のサーバ装置に接続させることによって、サーバ装置の管理者によってクライアント装置を使用している利用者の接続制限の制御あるいは管理を行いやすくすることができる。
【００１９】
請求項１０記載の発明によれば、請求項７〜９のいずれか１項に記載のネットワーク接続装置において、特定のプログラム以外のプログラムからは利用不可能とした秘匿領域と、情報の書込みを禁止して読出し専用とした不可変領域と、情報を自在に書込み可能とした可変領域とを設け、不可変領域にクライアント装置の記憶手段にコピーするプログラムを暗号化して格納し、秘匿領域にはプログラムを復号化する復号化情報を記憶していることによって、不正利用者などの第三者がネットワーク接続装置に記憶された情報を解析することを防止して、安全性を確保することができる。
【発明を実施するための最良の形態】
【００２０】
本発明のネットワーク接続方法及びネットワーク接続装置は、外部接続型記憶手段からなるネットワーク接続装置を用いて、このネットワーク接続装置を装着したクライアント装置を電気通信回線を介して所定のサーバ装置に接続するものである。
【００２１】
すなわち、ネットワーク接続装置には、クライアント装置が接続するサーバ装置のＵＲＬ（Uniform Resource Locator）などの識別情報と、サーバ装置への接続処理に用いるプログラムと、サーバ装置の接続認証に用いる認証情報とを記憶しており、このネットワーク接続装置をクライアント装置に装着することにより、プログラムの一部または全部をクライアント装置の記憶手段にコピーして、コピーしたプログラムに基づいてクライアント装置を識別情報で指定されたサーバ装置に接続するものである。
【００２２】
このように、ネットワーク接続装置をクライアント装置に装着することによって所望のサーバ装置に接続可能とすることにより、認証プログラムなどのようなアプリケーションプログラムの手作業によるクライアント装置への導入作業を不要とすることができ、クライアント装置の取り扱いに不慣れな利用でも容易にサーバ装置に接続することができる。
【００２３】
しかも、サーバ装置への接続に必要となる最小限のプログラムだけをクライアント装置にコピーするだけとすることにより、クライアント装置のオペレーションシステムや他のアプリケーションプログラムとの間で動作不具合を生じさせるおそれを低減できる。
【００２４】
このネットワーク接続装置は、ＵＳＢ（Universal Serial Bus）メモリなどのように、クライアント装置に設けた接続端子に着脱自在とした外部接続型記憶手段からなる記憶装置で構成することにより、ネットワーク接続装置の取り扱いを容易とすることができる。
【００２５】
さらに、サーバ装置への接続を終了させた場合には、ネットワーク接続装置は、ネットワーク接続装置からクライアント装置の記憶手段に記憶させたプログラムを全て自動的に削除するように構成することによって、クライアント装置のオペレーションシステムや他のアプリケーションプログラムとの間で動作不具合を生じさせるおそれを解消できる。
【００２６】
また、ネットワーク接続装置に記憶したプログラムは暗号化されたプログラムとするとともに、ネットワーク接続装置には暗号化されたプログラムを復号化する復号化情報を記憶して、暗号化されたプログラムの一部または全部をクライアント装置の記憶手段にコピーする際に復号化情報を用いて復号化したプログラムをコピーするようにした場合には、不正利用者などの第三者がネットワーク接続装置に記憶された情報を解析することを防止でき、安全性を確保することができる。
【００２７】
特に、ネットワーク接続装置では、特定のプログラム以外のプログラムからは利用不可能としたネットワーク接続装置の秘匿領域に復号化情報を記憶するとともに、情報の書込みを禁止して読出し専用としたネットワーク接続装置の不可変領域に暗号化したプログラムを格納しておくことにより、不正利用者などの第三者がネットワーク接続装置に記憶された情報を解析することを確実に防止できる。
【００２８】
ネットワーク接続装置の装着にともなってクライアント装置がサーバ装置に接続する場合に、サーバ装置への接続に用いているプログラムがクライアント装置を認証用サーバ装置に一旦接続させて接続情報を取得し、この取得情報に基づいて所要のサーバ装置に接続させるようにした場合には、サーバ装置の管理者によってクライアント装置を使用している利用者の接続制限の制御あるいは管理を行いやすくすることができる。
【００２９】
特に、接続情報は、情報を自在に書込み可能としたネットワーク接続装置の可変領域に書込んで記憶することにより、クライアント装置に余計な情報が蓄積されることを防止できる。
【００３０】
しかも、サーバ装置が多機能な場合などでは、認証用サーバ装置から取得する接続情報は複数とし、これらの接続情報の中からクライアント装置でいずれか一つの接続情報を選択可能としておくことにより、利用者は所望の機能が利用できる状態に速やかに達することができ、さらに選択した接続情報を外部接続型記憶手段で記憶することによって、接続情報を外部接続型記憶手段に記憶した後には、サーバ装置への接続時に速やかに所望の機能の使用を可能な状態とすることができるので、利便性を極めて向上させることができる。
【００３１】
以下において、図面に基づいて本発明の実施形態をさらに詳説する。図１は、本実施形態のネットワーク接続装置により接続されるサーバ装置が設けられたネットワーク構成模式図である。
【００３２】
本実施形態では、所要の機能を有するサーバ装置10はインターネットなどの電気通信回線30に接続しており、この電気通信回線30に接続したクライアント装置20によって接続可能としてネットワークを構成している。
【００３３】
特に、本実施形態では、サーバ装置10は複数の機能サーバ装置を有線ＬＡＮ回線などの電気通信回線で接続して全体として１つの処理装置を構成しており、各機能サーバ装置にそれぞれ機能を分散させている。特に、インターネットなどの外部の電気通信回線30との接続部分に位置する機能サーバ装置を認証用サーバ装置11としており、この認証用サーバ装置11で認証された利用者のみが、認証用サーバ装置11に接続されている他の機能サーバ装置12a,12b,〜,12nの所要の機能を利用できるようにしている。
【００３４】
なお、サーバ装置10は複数の機能サーバ装置で構成する場合に限定するものではなく、１台のサーバ装置が認証用サーバ装置11の機能を含めた全機能を有するようにしてもよい。
【００３５】
認証用サーバ装置11には、利用者毎に利用可能とする機能サーバ装置12a,12b,〜,12nを指定する接続情報を記録した接続情報データベース11aを設けており、後述するようにサーバ装置10に接続した利用者は、認証用サーバ装置11から受け取った接続情報に基づいて所定の機能サーバ装置12a,12b,〜,12nに接続するようにしている。
【００３６】
このように、接続情報を用いて利用者の接続制限を行うことによって、サーバ装置10の管理者が利用者を管理しやすくすることができ、管理者の管理負担を大きく軽減することができる。
【００３７】
クライアント装置20は、図１では、説明の便宜上、ノート型パーソナルコンピュータとしているが、ノート型パーソナルコンピュータに限定するものではなく、インターネットなどの電気通信回線30に接続可能とし、かつ後述するＵＳＢメモリ40などで構成した外部接続型記憶手段からなる記憶装置が装着可能となっていれば何であってもよい。以下において、説明の便宜上、外部接続型記憶手段からなる記憶装置はＵＳＢメモリ40であるものとする。したがって、クライアント装置20は、このＵＳＢメモリ40を装着可能としたＵＳＢポートを有していればよい。
【００３８】
電気通信回線30は、本実施形態ではインターネットとして説明を行うが、インターネットに限定するものではなく、クライアント装置20をサーバ装置10に接続可能とする通信回線であれば何であってもよい。
【００３９】
ＵＳＢメモリ40には、ＲＯＭ（Read Only Memory）で構成した読出し専用の不可変領域と、フラッシュメモリで構成して情報を自在に書込み可能とした可変領域を設けている。
【００４０】
そして、不可変領域にはＵＳＢメモリ40をクライアント装置20に接続することによってクライアント装置20により自動的に起動される自動再生プログラムを格納するとともに、認証アプリケーション用プログラム、あるいはその他の所要のプログラムを格納している。特に、認証アプリケーション用プログラムは暗号化した状態で格納している。
【００４１】
可変領域には、接続先となるサーバ装置10のＵＲＬ情報などの識別情報、及び認証アプリケーション用プログラムによって要求される接続認証用の認証情報とを記憶している。
【００４２】
さらに、ＵＳＢメモリ40には、特定のプログラム以外のプログラムからは利用不可能とした秘匿領域を設けており、この秘匿領域には暗号化されている認証アプリケーション用プログラムを復号化するための復号化情報である暗号鍵を格納している。秘匿領域はＲＯＭ部分に設けてもよいし、フラッシュメモリ部分に設けてもよい。
【００４３】
次に、図２のフローチャートに基づいて、ネットワーク接続装置であるＵＳＢメモリ40を用いたネットワーク接続方法について説明する。
【００４４】
まず、利用者は、電気通信回線30に接続可能となっているクライアント装置にネットワーク接続装置であるＵＳＢメモリ40を装着する（ステップＳ１）。
【００４５】
クライアント装置20は、ＵＳＢメモリ40の装着を認識すると、ＵＳＢメモリ40の不可変領域に格納された自動再生プログラムを起動する（ステップＳ２）。
【００４６】
自動再生プログラムの起動にともなって、クライアント装置20は、秘匿領域に格納されている暗号鍵を読出し（ステップＳ３）、この暗号鍵を用いてクライアント装置20はＵＳＢメモリ40の不可変領域に格納された認証アプリケーション用プログラムの復号化を行うとともに、復号化された認証アプリケーション用プログラムをクライアント装置20のハードディスク、あるいはメモリなどの適宜の記憶装置にコピーする（ステップＳ４）。
【００４７】
このとき、クライアント装置20は、自動再生プログラムに基づいて、記憶装置の所要の場所に格納フォルダを生成し、この格納フォルダ内に復号化された認証アプリケーション用プログラム、及びこの認証アプリケーション用プログラムの起動にともなって用いるファイルを格納している。
【００４８】
次いで、クライアント装置20は、自動再生プログラムに基づいて、格納フォルダ内に格納した認証アプリケーション用プログラムを起動して、認証アプリケーションを実行する（ステップＳ５）。
【００４９】
すなわち、認証アプリケーションの実行にともなって、クライアント装置20は、ＵＳＢメモリ40の可変領域に格納されたサーバ装置10のＵＲＬ情報に基づいて、そのＵＲＬ情報で特定されるサーバ装置10の認証用サーバ装置11に接続し、この認証用サーバ装置11にＵＳＢメモリ40の可変領域に格納された認証情報を送信して初期認証を行うようにしている（ステップＳ６）。
【００５０】
認証用サーバ装置11において正しく認証された場合には、認証用サーバ装置11は接続情報データベース11aにあらかじめ登録されている接続情報をクライアント装置20に対して送信する（ステップＳ７）。
【００５１】
クライアント装置20では、認証用サーバ装置11から送信されてきた接続情報を受信し（ステップＳ８）、この接続情報で特定される機能サーバ装置に接続して所要の処理要求を行う（ステップＳ９）。
【００５２】
本実施形態では、ライアント装置20に対して認証用サーバ装置11は一つの接続情報を送信するようにしているが、サーバ装置10が多機能な場合などでは、認証用サーバ装置11は複数の接続情報を送信するようにすることもできる。
【００５３】
クライアント装置20では、受信した複数の接続情報の中からいずれか一つの接続情報を選択することにより、サーバ装置10の所望の機能が利用できる状態に速やかに達することができる。
【００５４】
しかも、選択した接続情報をＵＳＢメモリ40の可変領域に格納することにより、サーバ装置10に対する次回接続時には、格納した接続情報に基づいて速やかにサーバ装置10における所望の機能の使用を可能な状態とすることができるので、利便性を極めて向上させることができる。
【００５５】
機能サーバ装置は、クライアント装置20からの処理要求に基づいて所要の処理を実行し、処理結果をクライアント装置20に送信するようにしている（ステップＳ１０）。
【００５６】
クライアント装置20は、認証用サーバ装置11から送信されてきた処理結果を受信して確認し（ステップＳ１１）、さらに処理が必要な場合にはステップＳ９に戻って新たな処理要求を行うようにしている（ステップＳ１２）。
【００５７】
クライアント装置20とサーバ装置10との間における所要のデータの送受信の際には、常に認証用サーバ装置11を介して行うとともに、認証アプリケーションの起動状態下で行うようにして、ワンタイムＩＤ及びワンタイムパスワードを認証用サーバ装置11で認証しながら行うことにより、高い安全性を確保している。特に、利用者は、認証アプリケーションの有無を気にすることなくサーバ装置10に接続して所要の処理を行うことができる。
【００５８】
ステップＳ１２において新たな処理要求がなく、サーバ装置10への接続を切断する場合には、クライアント装置20は、自動再生プログラムに基づいて、認証アプリケーションプログラムを終了する（ステップＳ１３）。
【００５９】
なお、ステップＳ６の認証用サーバ装置11による認証処理において正しく認証されなかった場合にも、クライアント装置20は、所要の機能サーバ装置に接続することなく認証アプリケーションを終了するようにしている。
【００６０】
認証アプリケーションプログラムの終了後、クライアント装置20は、自動再生プログラムに基づいて、認証アプリケーションプログラムを削除する（ステップＳ１４）。このとき、クライアント装置20は、クライアント装置20の記憶装置における所要の場所に生成した格納フォルダごと削除することにより、全てのプログラムを削除するようにしている。
【００６１】
このように、認証アプリケーションプログラムの終了にともなってＵＳＢメモリ40からクライアント装置20にコピーして格納したプログラムを全て削除することにより、クライアント装置20のオペレーティングシステムや他のアプリケーションプログラムに不具合を生じさせるおそれがなく、クライアント装置20の動作安定性を維持することができる。
【００６２】
認証アプリケーションプログラムの削除後、クライアント装置20は自動再生プログラムを終了する（ステップＳ１５）。
【図面の簡単な説明】
【００６３】
【図１】本発明に係るネットワーク接続装置により接続されるサーバ装置が設けられたネットワーク構成の模式図である。
【図２】本発明に係るネットワーク接続装置によるクライアント装置のサーバ装置への接続方法を説明するフローチャートである。
【符号の説明】
【００６４】
10  サーバ装置
11  認証用サーバ装置
11a 接続情報データベース
12a 機能サーバ装置
12b 機能サーバ装置
12n 機能サーバ装置
20  クライアント装置
30  電気通信回線
40  ＵＳＢメモリ
【図１】
2006120092.tif 000003
【図２】
2006120092.tif 000004